(57)【要約】【課題】光ディスク装置において、簡易的に適切なライトストラテジを構築できるようにする。【解決手段】記録パルスを補正する際に用いられ、マーク長に対応して決定される第１補正量、及びスペース長／マーク長の組み合わせに対応して決定される第２補正量について、第１補正量のみを試し書きによって決定し、第２補正量は、この第１補正量に基づいて、スペース長及びマーク長の合計長さに対するマーク長の比率を考慮した計算により求める。このため、スペース長／マーク長の全ての組み合わせについて試し書きを行って補正量を求める必要がなく、簡易的且つ適切にライトストラテジを構築することができる。３Ｔスペース／４Ｔマークの場合、第１補正量４Ｔdtpは試し書きにより決定され、第２補正量Ｔld_3s4mは、Ｔld_3s4m＝（３Ｔdtp−４Ｔdtp）×４／７により算出される。【選択図】  図７
2006134456.tif 000002
【特許請求の範囲】
【請求項１】
記録パルスに応じたレーザ光を光ディスクの記録面に照射することにより、前記記録パルスに対応したマーク及びスペースを光ディスクの記録面に形成する情報記録手段と、  
光ディスクに記録されるマーク間の干渉を抑制するために、スペース長及びこれに後続するマーク長の組み合わせ（以下、スペース長／マーク長の組み合わせという）に応じて、前記記録パルスのパルス幅に対する補正量を決定するライトストラテジ決定手段とを備えた光ディスク装置において、
前記補正量は、前記マーク長に対応して決定される第１補正量と、スペース長／マーク長の組み合わせに対応して決定される第２補正量とを含み、
前記ライトストラテジ決定手段は、
スペース長とマーク長が等しくなるスペース長／マーク長の組み合わせについて、前記情報記録手段による試し書きを行って、各マーク長毎に、前記第１補正量を決定する第１補正量決定手段と、
スペース長がマーク長より短くなる任意のスペース長ＸＴ／マーク長ＹＴの組み合わせについて（Ｘ及びＹは１以上の整数、Ｔはチャンネルクロック周期）、前記第１補正量決定手段によりスペース長ＸＴ／マーク長ＸＴの組み合わせについて決定された前記第１補正量から、スペース長ＹＴ／マーク長ＹＴの組み合わせについて決定された前記第１補正量を減算してその差分を求め、該差分に、スペース長ＸＴ及びマーク長ＹＴの合計長さに対するマーク長ＹＴの比率を乗じて前記第２補正量を算出し、スペース長がマーク長より長くなる任意のスペース長ＸＴ／マーク長ＹＴの組み合わせについて、前記第２補正量をゼロとする第２補正量決定手段とを有し、
前記第１補正量及び／又は前記第２補正量を記憶する補正量記憶手段を更に備えることを特徴とする光ディスク装置。
【請求項２】
記録パルスに応じたレーザ光を光ディスクの記録面に照射することにより、前記記録パルスに対応したマーク及びスペースを光ディスクの記録面に形成する情報記録手段と、  
光ディスクに記録されるマーク間の干渉を抑制するために、スペース長及びこれに後続するマーク長の組み合わせ（以下、スペース長／マーク長の組み合わせという）に応じて、前記記録パルスのパルス幅に対する補正量を決定するライトストラテジ決定手段とを備えた光ディスク装置において、
前記補正量は、前記マーク長に対応して決定される第１補正量と、スペース長／マーク長の組み合わせに対応して決定される第２補正量とを含み、
前記ライトストラテジ決定手段は、
スペース長とマーク長が等しくなるスペース長／マーク長の組み合わせについて、前記情報記録手段による試し書きを行って、各マーク長毎に、前記第１補正量を決定する第１補正量決定手段と、
任意のスペース長ＸＴ／マーク長ＹＴの組み合わせについて（Ｘ及びＹは１以上の整数、Ｔはチャンネルクロック周期）、前記第１補正量決定手段によりスペース長ＸＴ／マーク長ＸＴの組み合わせについて決定された第１補正量から、スペース長ＹＴ／マーク長ＹＴの組み合わせについて決定された第１補正量を減算してその差分を求め、該差分に、スペース長ＸＴ及びマーク長ＹＴの合計長さに対するマーク長ＹＴの比率を乗じて前記第２補正量を算出する第２補正量決定手段とを有すること特徴とする光ディスク装置。
【請求項３】
前記第１補正量及び／又は前記第２補正量を記憶する補正量記憶手段を備えること特徴とする請求項２に記載の光ディスク装置。
【発明の詳細な説明】
【技術分野】
【０００１】
本発明は、光ディスク装置に関する。
【背景技術】
【０００２】
ＣＤ−Ｒ、ＤＶＤ−Ｒ等の追記型光ディスクや、ＣＤ−ＲＷ、ＤＶＤ−ＲＷ等の書換型光ディスクに対して情報の記録を行う光ディスク装置においては、記録すべき情報に応じた時間幅を有する記録パルスで半導体レーザを駆動させることによりレーザ光を光ディスクの記録面に照射してマーク及びスペースを形成し、情報を光ディスクに記録する。この際、単に形成しようとするマーク長やスペース長に相当するパルス幅でレーザ光を照射したのでは、光ディスクに形成されたマーク間の干渉により再生信号にジッタが生じ、読み取りエラーを発生させる原因となる。
【０００３】
図８（ａ）（ｂ）に、ＮＲＺＩシグナル（記録すべき情報）、ストラテジパルス（記録パルス）、ビームスポットの概観、及び記録後のＲＦ信号の例を示す。例えば、図８（ａ）に示されるように、３Ｔスペースに対する後続マークが、その他のスペースに対する後続マーク（例えば、４Ｔスペース／４Ｔマークの組み合わせの４Ｔマーク等）と同等の発光タイミングを持つ場合、３Ｔスペースの反射レベルはあまり高くならない。３Ｔスペースの反射レベルが低いと振幅がとれず、ジッタが悪化する。このため、図８（ｂ）に示されるように、３Ｔスペースの後続マークに対して補正量αを与えることで、適切な振幅を確保することが一般に行われている。
【０００４】
このような補正量αは、光ディスク装置のピックアップや、光ディスク（媒体メーカーによる光ディスクの材質の違いや個々の光ディスクにおける特性のばらつき）により異なり、通常は、主要な媒体メーカーの光ディスク毎に、記録及び測定を繰り返して経験的に求められ、光ディスク装置内に記憶される。以下、このような補正量を含む、記録パルスに対する制御規則をライトストラテジという。
【０００５】
なお、このような補正量を効率的に決定できるようにした光ディスク装置等として、例えば、所定のスペース長／マーク長の組み合わせについて試し書きを行って、この組み合わせについて記録パルスの補正量を決定し、他のスペース長／マーク長については、記録による熱拡散が記録膜の水平方向の熱伝導率のみで決まること利用して補正量を決定するようにした光ディスク装置や、スペース長／マーク長の組み合わせを複数のグループに分割して補正量を決定するようにした方法等が知られている（例えば、特許文献１及び特許文献２参照）。
【特許文献１】特開２００３−２５７０２８号公報
【特許文献２】特開２０００−１４９２６２号公報
【発明の開示】
【発明が解決しようとする課題】
【０００６】
しかしながら、例えば、図８（ａ）（ｂ）を用いて説明した従来の方法では、記録するマーク長とこれに先行するスペース長の各組み合わせに対し、それぞれ試し書きを行い、最適な補正量を決定していたので、ライトストラテジの構築に多大な労力を要し、コスト的な負担が大きかった。
【０００７】
また、特許文献１及び特許文献２に記載される光ディスク装置等においては、スペース長及びマーク長の合計長さに対するマーク長の比率を考慮して、補正量を決定するものではなく、簡易的に適切なライトストラテジを構築できるものではなかった。
【０００８】
本発明は、上記課題を解決するためになされたものであり、ライトストラテジを簡易的且つ適切に構築できるようにして情報の記録品質を向上させると共に、ライトストラテジを構築する際のコストを低減することができる光ディスク装置を提供することを目的とする。
【課題を解決するための手段】
【０００９】
上記目的を達成するために請求項１の発明は、記録パルスに応じたレーザ光を光ディスクの記録面に照射することにより、前記記録パルスに対応したマーク及びスペースを光ディスクの記録面に形成する情報記録手段と、光ディスクに記録されるマーク間の干渉を抑制するために、スペース長及びこれに後続するマーク長の組み合わせ（以下、スペース長／マーク長の組み合わせという）に応じて、前記記録パルスのパルス幅に対する補正量を決定するライトストラテジ決定手段とを備えた光ディスク装置において、前記補正量は、前記マーク長に対応して決定される第１補正量と、スペース長／マーク長の組み合わせに対応して決定される第２補正量とを含み、前記ライトストラテジ決定手段は、スペース長とマーク長が等しくなるスペース長／マーク長の組み合わせについて、前記情報記録手段による試し書きを行って、各マーク長毎に、前記第１補正量を決定する第１補正量決定手段と、スペース長がマーク長より短くなる任意のスペース長ＸＴ／マーク長ＹＴの組み合わせについて（Ｘ及びＹは１以上の整数、Ｔはチャンネルクロック周期）、前記第１補正量決定手段によりスペース長ＸＴ／マーク長ＸＴの組み合わせについて決定された前記第１補正量から、スペース長ＹＴ／マーク長ＹＴの組み合わせについて決定された前記第１補正量を減算してその差分を求め、該差分に、スペース長ＸＴ及びマーク長ＹＴの合計長さに対するマーク長ＹＴの比率を乗じて前記第２補正量を算出し、スペース長がマーク長より長くなる任意のスペース長ＸＴ／マーク長ＹＴの組み合わせについて、前記第２補正量をゼロとする第２補正量決定手段とを有し、前記第１補正量及び／又は前記第２補正量を記憶する補正量記憶手段を更に備えることを特徴とする。
【００１０】
請求項２の発明は、記録パルスに応じたレーザ光を光ディスクの記録面に照射することにより、前記記録パルスに対応したマーク及びスペースを光ディスクの記録面に形成する情報記録手段と、光ディスクに記録されるマーク間の干渉を抑制するために、スペース長及びこれに後続するマーク長の組み合わせ（以下、スペース長／マーク長の組み合わせという）に応じて、前記記録パルスのパルス幅に対する補正量を決定するライトストラテジ決定手段とを備えた光ディスク装置において、前記補正量は、前記マーク長に対応して決定される第１補正量と、スペース長／マーク長の組み合わせに対応して決定される第２補正量とを含み、前記ライトストラテジ決定手段は、スペース長とマーク長が等しくなるスペース長／マーク長の組み合わせについて、前記情報記録手段による試し書きを行って、各マーク長毎に、前記第１補正量を決定する第１補正量決定手段と、任意のスペース長ＸＴ／マーク長ＹＴの組み合わせについて（Ｘ及びＹは１以上の整数、Ｔはチャンネルクロック周期）、前記第１補正量決定手段によりスペース長ＸＴ／マーク長ＸＴの組み合わせについて決定された第１補正量から、スペース長ＹＴ／マーク長ＹＴの組み合わせについて決定された第１補正量を減算してその差分を求め、該差分に、スペース長ＸＴ及びマーク長ＹＴの合計長さに対するマーク長ＹＴの比率を乗じて前記第２補正量を算出する第２補正量決定手段とを有すること特徴とする。
【００１１】
請求項３の発明は、請求項２に記載の光ディスク装置において、前記第１補正量及び／又は前記第２補正量を記憶する補正量記憶手段を備えること特徴とする。
【発明の効果】
【００１２】
以上のように請求項１の発明によれば、第１補正量のみを試し書きによって決定し、第２補正量は、この第１補正量に基づいて、スペース長及びマーク長の合計長さに対するマーク長の比率を考慮した計算により求めるので、スペース長／マーク長の全ての組み合わせについて試し書きを行って補正量を求める必要がなく、簡易的且つ適切にライトストラテジを構築することができると共に、ライトストラテジを構築する際のコストを低減することができる。
【００１３】
また、スペース長がマーク長より長くなる任意のスペース長／マーク長の組み合わせについては第２補正量をゼロとするので、スペース長がマーク長より長く、スペース部分において十分な反射レベルが得られることが予想されるスペース長／マーク長の組み合わせについては、記録パルスが必要以上に補正されてマーク長が短くなり過ぎること防止することができる。
【００１４】
また、第１補正量及び／又は第２補正量を記憶する補正量記憶手段を備えるので、第１補正量及び／又は第２補正量が記憶された光ディスクについては、情報を光ディスクに記録する際、改めて第１補正量及び／又は第２補正量を決定する必要がなく、迅速に情報の記録動作を開始することができる。
【００１５】
請求項２の発明によれば、第１補正量のみを試し書きによって決定し、第２補正量は、この第１補正量に基づいて、スペース長及びマーク長の合計長さに対するマーク長の比率を考慮した計算により求めるので、簡易的且つ適切にライトストラテジを構築することができると共に、ライトストラテジを構築する際のコストを低減することができる。
【００１６】
請求項３の発明によれば、請求項２の効果が得られる他、第１補正量及び／又は第２補正量を記憶する補正量記憶手段を備えるので、第１補正量及び／又は第２補正量が記憶された光ディスクについては、情報を光ディスクに記録する際、改めて第１補正量及び／又は第２補正量を決定する必要がなく、迅速に情報の記録動作を開始することができる。
【発明を実施するための最良の形態】
【００１７】
以下、本発明の一実施形態に係る光ディスク装置について説明する。図１に示されるように、光ディスク装置１は、例えば、追記型のＣＤ−ＲやＤＶＤ−Ｒ、書換型のＣＤ−ＲＷやＤＶＤ−ＲＷ等の光ディスク２に対して情報の記録及び再生を行う装置であり、光ディスク２に対して情報の読み出し及び書き込みを行う光ピックアップ１１と、光ディスク２を回転させるスピンドルモータ１２と、光ピックアップ１１のトラッキング制御及びフォーカス制御、並びにスピンドルモータ１２の回転数制御を行うサーボ回路１３と、光ピックアップ１１から入力されたＲＦ信号を処理する信号処理部１４と、信号処理部１４から入力されたディジタル信号をデコードして再生信号を得るデコード部１５と、第１補正量及び第２補正量等の情報を記憶する記憶部１６と、記録信号に基づいて半導体レーザを駆動させるための記録パルスを生成するレーザ駆動回路１７と、光ディスク装置１全体の制御を司る制御部１８とを備えている。
【００１８】
光ピックアップ１１は、半導体レーザ、コリメータレンズ、ビームスプリッタ、対物レンズ、集光レンズ、及びフォトディテクタ等を有している。レーザ駆動回路１７は、入力された記録信号に基づいて、後述する第１補正量及び第２補正量により補正した記録パルスを生成し、半導体レーザに出力する。これら光ピックアップ１１及びレーザ駆動回路１７により情報記録手段が構成される。半導体レーザは、この記録パルスに基づいたタイミング及び出力でレーザ光を発振する。半導体レーザから発振されたレーザ光が、コリメータレンズ、ビームスプリッタ及び対物レンズを介して光ディスク２上に集光照射されることにより、光ディスク２に対して情報の記録等が行われる。また、光ディスク２からの反射光は、対物レンズ、ビームスプリッタ、及び集光レンズを介してフォトディテクタで受光され、フォトディテクタで検出された光の強弱は、ＲＦ信号に変換され信号処理部１４に出力される。
【００１９】
信号処理部１４は、ＲＦ信号に基づいてアシンメトリ値を検出するアシンメトリ検出回路を備える他、ＲＦ信号とディジタル信号の変換、８／１６復調、エラー訂正等を行う。記憶部（補正量記憶手段）１７は、光ディスクを識別するためのメディアＩＤと共に、マーク長に対応して決定される第１補正量と、スペース長／マーク長の組み合わせに対応して決定される第２補正量とを記憶する。これら第１補正量及び第２補正量は、光ディスク２に情報を記録する際、レーザ駆動回路１７に出力され、記録パルスを補正するために利用される。制御部１８は、不図示のＲＯＭに記憶されているプログラムに従って各種処理を実行し、後述する第１補正量決定処理及び第２補正量決定処理を実行することにより、ライトストラテジ決定手段、第１補正量決定手段、及び第２補正量決定手段として機能する。
【００２０】
次に、第１補正量及び第２補正量を決定してライトストラテジを構築する際の処理について説明する。表１は、スペース長及びこれに後続するマーク長の組み合わせ（以下、スペース長／マーク長の組み合わせという）を示す表であり、表１中のＡ乃至Ｐは、図２の記録パルスのパターンＡ〜Ｐに対応している。
【００２１】
【表１】
2006134456.tif 000003
【００２２】
なお、図２及び後述する図５において、スペース長ＸＴ／マーク長ＹＴ（Ｘ及びＹは１以上の整数、Ｔはチャンネルクロック周期）の組み合わせを、ＸｓＹｍとして示している。トップパルスはスペース直後の３Ｔ幅に１つ形成され、マルチパルスはトップパルス又は先行するマルチパルスに連続して１Ｔ幅に１つ形成される。このため、図２に示されるように、例えば、３Ｔマークの場合はトップパルスのみを有し、６Ｔマークの場合はトップパルスと３つのマルチパルスを有することとなる。
【００２３】
本実施形態においては、７Ｔ以降のスペース長又はマーク長を有する組み合わせについては、ＲＦ信号の振幅が１１Ｔのスペース長又はマーク長のＲＦ信号の振幅と略同じであるとして、個々に補正量の検討は行わず、表１中の矢印の方向に位置する他の組み合わせの値を利用する。例えば、３Ｔスペースに後続する７Ｔマーク以降のスペース長／マーク長の組み合わせは、スペース長３Ｔ／マーク長６Ｔ（以下、スペース長ＸＴ／マーク長ＹＴのＸ，Ｙに具体的な数値が用いられる場合は、３Ｔスペース／６Ｔマークのように示す）の補正量をそのまま利用し、４Ｔスペースに後続する７Ｔマーク以降のスペース長／マーク長の組み合わせは、４Ｔスペース／６Ｔマークの補正量をそのまま利用する。一方、３Ｔマークに先行する７Ｔスペース以降のスペース長／マーク長の組み合わせは、６Ｔスペース／３Ｔマークの補正量をそのまま利用し、４Ｔマークに先行する７Ｔスペース以降のスペース長／マーク長の組み合わせは、６Ｔスペース／４Ｔマークの補正量をそのまま利用する。
【００２４】
次に、図３及び図４を参照して、第１補正量決定処理について説明する。制御部１８は、第１補正量決定処理が開始されると、まず、図４（ａ）に示されるように、１１Ｔスペース／１１Ｔマークの記録を行って（＃１）、アシンメトリ値がゼロとなるトップパルスＴtopを決定する（＃２）。そして、ｎＴスペース／ｎＴマーク（ｎは３、４、５又は６）及び１１Ｔスペース／１１Ｔマークを交互に記録して（＃３）、アシンメトリ値がゼロとなるトップパルスｎＴｏｐを決定し、以下の式１を用いて第１補正量ｎＴdtpを決定する。（＃４）。そして、ｎＴスペース／ｎＴマークだけの記録を行って、アシンメトリ値がゼロになることを確認し、最終的に第１補正量ｎＴdtpを確定する。
（数１）
ｎＴdtp＝ｎＴtop−Ｔtop  （式１）
【００２５】
例えば、第１補正量３Ｔdtpを決定する場合、図４（ｂ）に示されるように、３Ｔスペース／３Ｔマーク及び１１Ｔスペース／１１Ｔマークを交互に記録して、アシンメトリ値がゼロとなる３Ｔマークのトップパルス３Ｔtopを決定し、上記式１を用いて第１補正量３Ｔdtpを決定する。
【００２６】
なお、上記ｎＴtop及びｎＴdtpにおいてｎは係数を示すものではなく、それぞれｎＴスペース／ｎＴマーク及び１１Ｔスペース／１１Ｔマーク記録時のアシンメトリ値がゼロとなるｎＴマークのトップパルス、及びｎＴマークに対応する補正量を示すものである。例えば、３Ｔtop及び３Ｔdtpは、３Ｔスペース／３Ｔマーク及び１１Ｔスペース／１１Ｔマーク記録時のアシンメトリ値がゼロとなる３Ｔマークのトップパルス、及び３Ｔマークに対応する補正量を示している。従って、例えば、３Ｔtopは、３Ｔｔｏｐ＝３×Ｔｔｏｐを示すものではなく、３Ｔdtpは、３Ｔdtp＝６Ｔdtp×１／２を示すものではない。
【００２７】
以下、同様にして、図５に示されるように、第１補正量４Ｔdtp、５Ｔdtp、及び６Ｔdtpを決定する。上述した第１補正量決定処理により求められる値は、大まかには、３Ｔdtp＜４Ｔdtp＜５Ｔdtp＜６Ｔdtp＜０のようになる。なお、Ｔtop及びｎＴtopは、トップパルスの後端を基準としてトップパルスの先端方向がプラスになるように示されている（従って、第１補正量ｎＴdtpはマイナス方向の向きとなる）。表２に上記のようにして決定した第１補正量ｎＴdtpを示す。
【００２８】
【表２】
2006134456.tif 000004
【００２９】
次に、図６を参照して、第２補正量決定処理について説明する。制御部１８は、第２補正量決定処理が開始されると、まず、記憶部１６から第１補正量ｎＴdtpを読み込んで（＃２１）、スペース長ＸＴ／マーク長ＹＴの各組み合わせについて、スペース長ＸＴとマーク長ＹＴを比較し、スペース長ＸＴがマーク長ＹＴより長くなる場合には（すなわち、Ｘ＞Ｙ）（＃２２でＹＥＳ）、第２補正量Ｔld_XsYmをゼロにする（＃２３）。一方、スペース長ＸＴがマーク長ＹＴより短くなる場合には（＃２２でＮＯ）、以下の式２を用いて、第２補正量Ｔld_XsYmを決定する（＃２４）。
（数２）
Ｔld_XsYm＝（ＸＴdtp−ＹＴdtp）×（Ｙ÷（Ｘ＋Ｙ））  （式２）
【００３０】
上記式２は、第１補正量決定処理によりスペース長ＸＴ／マーク長ＸＴの組み合わせについて決定された第１補正量ＸＴdtpから、スペース長ＹＴ／マーク長ＹＴの組み合わせについて決定された第１補正量ＹＴdtpを減算してその差分を求め、該差分に、スペース長ＸＴ及びマーク長ＹＴの合計長さに対するマーク長ＹＴの比率を乗じて第２補正量Ｔld_XsYmを決定する。表３に、第２補正量決定処理により決定された第２補正量Ｔld_XsYmを示す。
【００３１】
【表３】
2006134456.tif 000005
【００３２】
次に、上記第１補正量ｎＴdtp及び第２補正量Ｔld_XsYmによる記録パルスの補正例を図７を参照して説明する。図７は、３Ｔスペース／３Ｔマーク（図２におけるＡ）、及び３Ｔスペース／４Ｔマーク（図２におけるＢ）のトップパルス付近を示す図である。上述した第１補正量決定処理により、Ｔtop＝１．７５Ｔ、３Ｔマークに対応する第１補正量３Ｔdtp＝−０．５Ｔ、４Ｔマークに対応する第１補正量４Ｔdtp＝−０．３７５が得られた場合、３Ｔスペース／４Ｔマークの第２補正量Ｔld_3s4mは、上記式２によりＴld_3s4m＝−０．０７１Ｔとなる。従って、補正後の３Ｔスペース／４ＴマークのトップパルスＴ'topは以下の式３のようになる。
（数３）
T'top＝Ttop＋4Tdtp＋Tld_3ｓ4m＝1.75T−0.375T−0.071T＝1.304T  （式３）
【００３３】
以上のように本実施形態の光ディスク装置１によれば、第１補正量ｎＴdtpのみを試し書きによって決定し、第２補正量Ｔld_XsYmは、この第１補正量ｎＴdtpに基づいて、スペース長及びマーク長の合計長さに対するマーク長の比率を考慮した計算により求めるので、スペース長／マーク長の全ての組み合わせについて試し書きを行って補正量を求める必要がなく、簡易的且つ適切にライトストラテジを構築することができると共に、ライトストラテジを構築する際のコストを低減することができる。
【００３４】
また、スペース長がマーク長より長くなる任意のスペース長／マーク長の組み合わせについては第２補正量Ｔld_XsYmをゼロとするので、スペース長がマーク長より長く、スペース部分において十分な反射レベルが得られることが予想されるスペース長／マーク長の組み合わせについて、記録パルスが必要以上に補正されてマーク長が短くなり過ぎることを防止することができる。
【００３５】
また、第１補正量ｎＴdtp及び第２補正量Ｔld_XsYmを記憶する記憶部１６を備えるので、第１補正量ｎＴdtp及び第２補正量Ｔld_XsYmが記憶された光ディスク２については、情報を光ディスクに記録する際、改めて第１補正量ｎＴdtp及び第２補正量Ｔld_XsYmを決定する必要がなく、迅速に情報の記録動作を開始することができる。
【００３６】
なお、本発明は上記実施形態の構成に限られることなく種々の変形が可能である。例えば、記憶部１６に第１補正量ｎＴdtpのみを記憶するようにして、情報を光ディスクに記録する際に第２補正量Ｔld_XsYmを計算するようにしてもよい。記憶部１６に第１補正量ｎＴdtpのみを記憶することにより、光ディスク（メディア）毎のテーブルサイズを削減することができ、記憶部１６の容量を削減することができる。
【図面の簡単な説明】
【００３７】
【図１】本発明の一実施形態に係る光ディスク装置の構成を示すブロック図。
【図２】同装置において、光ディスクに情報を記録する際に利用される、各スペース／マークの組み合わせの記録パルスを示す図。
【図３】同装置の第１補正量決定処理を示すフローチャート。
【図４】（ａ）は基準となるトップパルスＴtopを決定する際の説明図、（ｂ）は第１補正量ｎＴdtpを決定する際の説明図。
【図５】同トップパルスＴtopと第１補正量ｎＴdtpの関係を示す説明図。
【図６】同装置の第２補正量決定処理を示すフローチャート。
【図７】同第１補正量及び第２補正量による記録パルスの補正例を示す図。
【図８】（ａ）は従来例における記録パルス補正前の各種状態を示す図、（ｂ）は記録パルス補正後の各種状態を示す図。
【符号の説明】
【００３８】
１    光ディスク装置
２    光ディスク
１１  光ピックアップ
１２  スピンドルモータ
１３  サーボ回路
１４  信号処理部
１５  デコード部
１６  記憶部
１７  レーザ駆動回路
１８  制御部
【図１】
2006134456.tif 000006
【図２】
2006134456.tif 000007
【図３】
2006134456.tif 000008
【図４】
2006134456.tif 000009
【図５】
2006134456.tif 000010
【図６】
2006134456.tif 000011
【図７】
2006134456.tif 000012
【図８】
2006134456.tif 000013